(57)【要約】【課題】パチンコ遊技機の設置作業及び角度調整作業時の作業性を向上させ得るとともに種々形態のパチンコ遊技機に対応が容易とされ、且つ、パチンコ遊技機の強固な固定及び精度の高い角度調整を行わせることができるパチンコ遊技機の島設備を提供する。【解決手段】複数のパチンコ遊技機２が並設されたパチンコ遊技機の島設備において、パチンコ遊技機２を載置可能とするとともに前後方向に摺動して当該パチンコ遊技機の傾斜角度を任意に調整可能な載置手段７を具備したものである。【選択図】図７
2011125411.tif 000002
【特許請求の範囲】
【請求項１】
複数のパチンコ遊技機が並設されたパチンコ遊技機の島設備において、
前記パチンコ遊技機を載置可能とするとともに前後方向に摺動して当該パチンコ遊技機の傾斜角度を任意に調整可能な載置手段を具備したことを特徴とするパチンコ遊技機の島設備。
【請求項２】
前記載置手段は、並設された各パチンコ遊技機に対応してそれぞれ独立して配設されたことを特徴とする請求項１記載のパチンコ遊技機の島設備。
【請求項３】
前記載置手段は、前記パチンコ遊技機と共に当該パチンコ遊技機から排出された遊技球を受け得るアウトボックスが固定されたことを特徴とする請求項１又は請求項２記載のパチンコ遊技機の島設備。
【請求項４】
前記載置手段の摺動動作を操作する操作手段を具備するとともに、当該操作手段の操作部が前記パチンコ遊技機の背面側に形成されたことを特徴とする請求項１〜３の何れか１つに記載のパチンコ遊技機の島設備。
【請求項５】
前記載置手段の摺動動作を操作する操作手段を具備するとともに、当該操作手段の操作部が前記パチンコ遊技機の前面側に形成されたことを特徴とする請求項１〜３の何れか１つに記載のパチンコ遊技機の島設備。
【発明の詳細な説明】
【技術分野】
【０００１】
本発明は、複数のパチンコ遊技機が並設されたパチンコ遊技機の島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。然るに、通常、島設備において、各パチンコ遊技機を傾斜して設置させているのであるが、かかる傾斜角度に応じて遊技盤上の遊技球の挙動が変化するため、入賞状況等に大きな影響が及ぼされることとなる。従って、パチンコ遊技機の傾斜角度は、メーカーが遊技性を考慮して設定するようになっており、各パチンコ店においては、その設定通りに当該パチンコ遊技機を固定させる必要がある。
【０００３】
従来においては、島設備の所定部位に別個の固定金具を固定させ、当該固定金具を介在させてパチンコ遊技機の上端側を固定するとともに、前後方向に移動させてパチンコ遊技機全体の角度を調整し得るものが提案されている。具体的には、固定金具にはナットの締め付け操作により前進又は後退するクランプ手段が形成されており、パチンコ遊技機の上端側をクランプ手段にて固定させるとともに、ナットにてクランプ手段を操作することにより、当該パチンコ遊技機の傾斜角度を調整していた。尚、かかる先行技術は、文献公知発明に係るものでないため、記載すべき先行技術文献情報はない。
【発明の概要】
【発明が解決しようとする課題】
【０００４】
しかしながら、上記従来の技術においては、別個の固定金具にてパチンコ遊技機を固定させつつ傾斜角度を調整するものであったので、パチンコ遊技機の入れ替え時、それぞれのパチンコ遊技機に対して固定金具を取り付ける必要があり、パチンコ遊技機の設置作業及び角度調整作業時の作業性が悪いという問題があった。また、パチンコ遊技機の外枠は、木製のものの他、例えば金属製等のものがあるため、従来のものでは、そういった種々形態のパチンコ遊技機に対応させるのが難しいという不具合があった。更には、上記従来のものは、パチンコ遊技機の上端を前後させて角度調整を行わせるものであったので、パチンコ遊技機の強固な固定が困難であるとともに、精度よく角度調整を行わせるのが困難であるという問題もあった。
【０００５】
尚、パチンコ遊技機を島設備に設置する際、通常は、角度調節器等を用いて外枠の傾斜角度を決定した後に工具等で固着させるので、当該工具等の振動や衝撃によって傾斜角度に対して若干の誤差が生じてしまう虞があった。また、パチンコ遊技機においては、通常、遊技盤が外枠に対して必ずしも平行な関係で組み付けられるとは限らないとともに、傾斜角度は、専ら外枠の取り付け時に決定され、その後の調節が困難であることから、遊技盤が所望の傾斜角度になっていない場合もある。こうした理由から、外枠の取り付け作業には熟練の技術が必要であった。
【０００６】
本発明は、このような事情に鑑みてなされたもので、パチンコ遊技機の設置作業及び角度調整作業時の作業性を向上させ得るとともに種々形態のパチンコ遊技機に対応が容易とされ、且つ、パチンコ遊技機の強固な固定及び精度の高い角度調整を行わせることができるパチンコ遊技機の島設備を提供することにある。
【課題を解決するための手段】
【０００７】
請求項１記載の発明は、複数のパチンコ遊技機が並設されたパチンコ遊技機の島設備において、前記パチンコ遊技機を載置可能とするとともに前後方向に摺動して当該パチンコ遊技機の傾斜角度を任意に調整可能な載置手段を具備したことを特徴とする。
【０００８】
請求項２記載の発明は、請求項１記載のパチンコ遊技機の島設備において、前記載置手段は、並設された各パチンコ遊技機に対応してそれぞれ独立して配設されたことを特徴とする。
【０００９】
請求項３記載の発明は、請求項１又は請求項２記載のパチンコ遊技機の島設備において、前記載置手段は、前記パチンコ遊技機と共に当該パチンコ遊技機から排出された遊技球を受け得るアウトボックスが固定されたことを特徴とする。
【００１０】
請求項４記載の発明は、請求項１〜３の何れか１つに記載のパチンコ遊技機の島設備において、前記載置手段の摺動動作を操作する操作手段を具備するとともに、当該操作手段の操作部が前記パチンコ遊技機の背面側に形成されたことを特徴とする。
【００１１】
請求項５記載の発明は、請求項１〜３の何れか１つに記載のパチンコ遊技機の島設備において、前記載置手段の摺動動作を操作する操作手段を具備するとともに、当該操作手段の操作部が前記パチンコ遊技機の前面側に形成されたことを特徴とする。
【発明の効果】
【００１２】
請求項１の発明によれば、パチンコ遊技機を載置可能とするとともに前後方向に摺動して当該パチンコ遊技機の傾斜角度を任意に調整可能な載置手段を具備したので、パチンコ遊技機の設置作業及び角度調整作業時の作業性を向上させ得るとともに種々形態のパチンコ遊技機に対応が容易とされ、且つ、パチンコ遊技機の下面を前後させて傾斜角度を調整し得るので、当該パチンコ遊技機の強固な固定及び精度の高い角度調整を行わせることができる。
【００１３】
特に、パチンコ遊技機を島設備に固設させた後の角度調整が容易とされることから、当該パチンコ遊技機の設置作業においてあまり熟練を必要とせず、遊技盤を容易に所望角度とすることができるとともに、遊技盤が外枠に取り付けられた状態のパチンコ遊技機全体の角度調整を行うことができるので、例えば角度調節器を遊技盤に押し当てた状態で角度調整を行うことができ、遊技盤を高精度に所望角度とすることができる。
【００１４】
請求項２の発明によれば、載置手段は、並設された各パチンコ遊技機に対応してそれぞれ独立して配設されたので、何れかの載置手段が損傷等した際、その載置手段のみを交換すれば足り、交換時のコストを削減することができる。
【００１５】
請求項３の発明によれば、載置手段は、パチンコ遊技機と共に当該パチンコ遊技機から排出された遊技球を受け得るアウトボックスが固定されたので、パチンコ遊技機の傾斜角度を任意に調整すべく前後方向に摺動させたとしても、当該パチンコ遊技機とアウトボックスとの相対的位置は変化せず、パチンコ遊技機からの遊技球をアウトボックスにて確実に受けさせることができる。
【００１６】
請求項４の発明によれば、載置手段の摺動動作を操作する操作手段を具備するとともに、操作手段の操作部がパチンコ遊技機の背面側に形成されたので、当該操作手段の操作部が島設備の内部に形成されることとなり、遊技者が不正に操作してしまうのを防止することができる。
【００１７】
請求項５の発明によれば、載置手段の摺動動作を操作する操作手段を具備するとともに、操作手段の操作部がパチンコ遊技機の前面側に形成されたので、パチンコ遊技機の角度調整作業時における作業性を向上させることができる。
【図面の簡単な説明】
【００１８】
【図１】本発明の第１の実施形態に係るパチンコ遊技機の島設備を示す全体模式図
【図２】同パチンコ遊技機の島設備を示す断面模式図
【図３】同パチンコ遊技機の島設備における載置手段の取付部を示す平面図及び断面図
【図４】同載置手段における板状部材を示す平面図
【図５】同載置手段における操作手段を示す平面図
【図６】同載置手段における固定部材を示す平面図及び正面図
【図７】同載置手段における内部構成を示す平面模式図（（ａ）板状部材の移動前（ｂ）板状部材の移動後）
【図８】図７におけるＶＩＩＩ−ＶＩＩＩ線断面図（（ａ）板状部材の移動前（ｂ）板状部材の移動後）
【図９】本発明の第２の実施形態に係るパチンコ遊技機の島設備における載置手段の内部構成を示す平面模式図（（ａ）板状部材の移動前（ｂ）板状部材の移動後）
【図１０】同載置手段を示す断面図（（ａ）板状部材の移動前（ｂ）板状部材の移動後）
【図１１】同載置手段における操作手段を示す平面図及び正面図
【図１２】同載置手段における操作手段の凹部を外部に臨ませた状態を示す正面図
【図１３】本発明の第３の実施形態に係るパチンコ遊技機の島設備における載置手段の内部構成を示す平面模式図
【図１４】同載置手段における操作手段の操作過程を示す断面図
【図１５】同載置手段における操作手段の操作過程を示す断面図
【図１６】同操作手段を示す模式図
【発明を実施するための形態】
【００１９】
以下、本発明の実施形態について図面を参照しながら具体的に説明する。
第１の実施形態に係るパチンコ遊技機の島設備は、図１に示すように、遊技店に複数設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路（レール等）を具備したものである。尚、同図中符号３は、各パチンコ遊技機２に遊技球を供給すべく遊技球を多数収容するための島上タンクを示しているとともに、符号４は、略水平に形成された膳板を示している。
【００２０】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００２１】
島設備１内部には、図２に示すように、膳板４と略平行して延設板５が形成されている。然るに、膳板４は、図２、３に示すように、島設備１の前面から前方へ突出しつつ延設される一方、島設備１のパチンコ遊技機２が設置される並びの部位において当該膳板４の上面に延設板５が配設され、上下２層構造とされている。この延設板５の一部（パチンコ遊技機２の設置部位）は、図３に示すように、切除されて切除部Ｂ（パチンコ遊技機２が設置される並びの部位において下層の膳板４を臨ませた部位）が形成されており、当該切除部に載置手段７が嵌め込まれる如く配設されている（図７参照）。尚、切除部Ｂ（即ち、パチンコ遊技機２が設置される並びの部位における膳板４の上面）と延設板５とは段部とされており、当該段部に固定金具Ｂａがビス等にて固定されている。
【００２２】
かかる載置手段７は、パチンコ遊技機２を載置可能とするとともに前後方向（図３中上下方向）に摺動して当該パチンコ遊技機２の傾斜角度を任意に調整可能なものである。具体的には、載置手段７は、延設板５の切除部Ｂに配設される板状部材８と、板状部材８と延設板５との間に固定される固定部材１０と、板状部材８の前後方向の摺動動作を操作する操作手段９とを有して構成されている。板状部材８は、その上面がパチンコ遊技機２の下面と当接して当該パチンコ遊技機２を載置可能な木製の板状部材から成るものであり、図４に示すように、両側面にナット８ｂが固定されるとともに一対のコイルスプリング８ａが配設されている。尚、この木製の板状部材８上にパチンコ遊技機２を載置させつつビス等にて固定させるようになっている。
【００２３】
操作手段９は、図５に示すように、全体がボルト状部品から成り、摘み部９ａと、外周面に雄ネジが形成されたネジ部９ｂと、ネジ部９ｂの基端側（摘み部９ａ側）に形成されたフランジ部９ｃとを有している。ネジ部９ｂは、そのネジが板状部材８のナット８ｂと噛み合うよう構成されている。即ち、ネジ部９ｂを回転操作すると、それと噛み合ったナット８ｂ側（板状部材８）が、当該ネジ部９ｂの長手方向（前後方向）に摺動し得るよう構成されているのである。
【００２４】
固定部材１０は、図６に示すように、切欠き１０ａが形成された金属製部材から成るもので、図８に示すように、当該固定部材１０を板状部材８と延設板５との間（即ち、固定金具Ｂａの上部）に固定した状態において、摘み部９ａとフランジ部９ｃとの間隙部に切欠き１０ａを嵌合させつつネジ部９ｂをナット８ｂに噛み合わせた状態として操作手段９が組み付けられている。これにより、操作手段９は、固定板１０側に取り付けられる一方、そのネジ部９ｂがナット８ｂに噛み合った状態とされて組み付けられることとなる。尚、操作手段９を組み付ける際、フランジ部９ｃとナット８ｂとの間にコイルスプリング等から成るバネＳを介装させており、その付勢力をネジ部９ｂとナット８ｂとの嵌合部に及ばせている。
【００２５】
而して、図７に示すように、島設備１内に設置された板状部材８は、コイルスプリング８ａにて同図中下方（膳板４の形成位置から遠ざかる方向）に常時付勢されており、その上面にパチンコ遊技機２及びアウトボックス６等が設置されることとなる。かかるアウトボックス６は、パチンコ遊技機から排出された遊技球を受け得るもので、その受けた遊技機を計数する計数手段を具備したものである。尚、アウトボックス６で受けて計数された遊技球は、島設備１内に延設されたアウトレール（不図示）に送られ、そこから自重にて転がって研磨装置等（不図示）に送られることとなる。
【００２６】
本実施形態において、パチンコ遊技機２の傾斜角度を任意に調整するには、操作手段９の摘み部９ａを摘みつつ所定方向に回転操作する。これにより、操作手段９のネジ部９ｂと噛み合ったナット８ｂ及び板状部材８が、図７中ａ方向（膳板４の形成位置に近づく方向）又はｂ方向（膳板４の形成位置から遠ざかる方向）に摺動し、当該板状部材８に載置されたパチンコ遊技機２の下面が同方向へ移動することとなる。即ち、操作手段９の操作により、図８（ａ）で示す状態から同図（ｂ）で示す状態までナット８ｂ及び板状部材８が摺動するのである。このとき、パチンコ遊技機２の上面側は島設備１に固定されているので、当該パチンコ遊技機２全体が下面の移動量に応じた角度だけ傾斜し、これに伴い、パチンコ遊技機２の遊技盤も所定角度傾斜する。
【００２７】
上記したように、本実施形態によれば、パチンコ遊技機２を載置可能とするとともに前後方向に摺動して当該パチンコ遊技機の傾斜角度を任意に調整可能な載置手段７を具備したので、パチンコ遊技機２の設置作業及び角度調整作業時の作業性を向上させ得るとともに種々形態のパチンコ遊技機２（外枠が木製のもの或いは金属製のもの等）に対応が容易とされ、且つ、パチンコ遊技機２の下面を前後させて傾斜角度を調整し得るので、上面側を前後させるものに比べ、当該パチンコ遊技機２の強固な固定及び精度の高い角度調整を行わせることができる。
【００２８】
ここで、本実施形態においては、操作手段９の操作部（摘み部９ａ）は、パチンコ遊技機２の背面側に形成（膳板４の形成位置から遠ざかる方向に向かって突出形成）されている。これにより、操作手段９の操作部（摘み部９ａ）は、島設備１の内部に形成されることとなり、遊技者が不正に操作して勝手にパチンコ遊技機２の傾斜角度を変えてしまうのを防止することができる。
【００２９】
また、本実施形態においては、載置手段７は、並設された各パチンコ遊技機２に対応してそれぞれ独立して配設された（各々のパチンコ遊技機に対応させて載置手段７をそれぞれ配設した）ので、何れかの載置手段７が損傷等した際、その載置手段のみを交換すれば足り、交換時のコストを削減することができる。特に、本実施形態においては、パチンコ遊技機２の複数回の設置により板状部材８が損傷激しいものとなるが、かかる板状部材８のみを交換すれば足りるようになっている。尚、１つの板状部材８にパチンコ遊技機２を複数台（例えば２、３台）載置させ、それらの傾斜角度を一括して調整可能なものとしてもよい。
【００３０】
更に、載置手段７は、パチンコ遊技機２と共に当該パチンコ遊技機２から排出された遊技球を受け得るアウトボックス６が固定されたので、パチンコ遊技機２の傾斜角度を任意に調整すべく前後方向に摺動させたとしても、当該パチンコ遊技機２とアウトボックス６との相対的位置は変化せず、パチンコ遊技機２からの遊技球をアウトボックス６にて確実に受けさせることができる。尚、各パチンコ遊技機２毎に設置が必要な他の部品も載置手段７（板状部材８）上に載置させるようにしてもよい。
【００３１】
次に、本発明の第２の実施形態について説明する。
本実施形態に係るパチンコ遊技機の島設備は、図１に示すように、遊技店に複数設置されるとともにパチンコ遊技機２が複数並列して設置された島状のものから成る。かかる島設備１は、第１の実施形態と同様、それぞれのパチンコ遊技機２に電力を供給し得るとともに、各パチンコ遊技機２に遊技球を供給し或いは回収する流路（レール等）を具備したものである。尚、第１の実施形態と同様の構成要素には、同一の符号を付し、それらの詳細な説明を省略する。
【００３２】
本実施形態に係る載置手段７’は、パチンコ遊技機２を載置可能とするとともに前後方向に摺動して当該パチンコ遊技機２の傾斜角度を任意に調整可能なものであり、図９、１０に示すように、板状部材８と、操作手段１１とを有して構成されている。操作手段１１は、載置手段７’（板状部材８）の摺動動作を操作するためのもので、図１１に示すように、端面に六角レンチの形状と対応した凹部１１ａａが形成された操作部１１ａと、外周面に雄ネジが形成されたネジ部１１ｂとを有している。
【００３３】
ネジ部１１ｂは、第１の実施形態と同様、そのネジが板状部材８のナット８ｂと噛み合うよう構成されている。即ち、ネジ部１１ｂを回転操作すると、それと噛み合ったナット８ｂ側（板状部材８）が、当該ネジ部１１ｂの長手方向（前後方向）に摺動し得るよう構成されているのである。尚、操作手段１１は、島設備１に固定された固定部材１２に取り付けられている。
【００３４】
更に、操作手段１１における操作部１１ａは、図１０に示すように、膳板４から延設された部位にて覆われるとともに、図１２に示すように、当該部位に形成された切欠き４ａにて操作部１１ａにおける凹部１１ａａが外部に臨むようになっている。然るに、切欠き４ａを介して六角レンチの先端を挿入し、凹部１１ａａに嵌合させつつ所定方向に回転させれば、操作手段１１を回転操作させることができる。
【００３５】
本実施形態において、パチンコ遊技機２の傾斜角度を任意に調整するには、六角レンチを凹部１１ａａに嵌合させつつ所定方向に回転操作する。これにより、操作手段１１のネジ部１１ｂと噛み合ったナット８ｂ及び板状部材８が前後方向（図９中上方向（膳板４の形成位置に近づく方向）又は下方向（膳板４の形成位置から遠ざかる方向））に摺動し、当該板状部材８に載置されたパチンコ遊技機２の下面が同方向へ移動することとなる。即ち、操作手段１１の操作により、図１０（ａ）で示す状態から同図（ｂ）で示す状態までナット８ｂ及び板状部材８が摺動するのである。このとき、パチンコ遊技機２の上面側は島設備１に固定されているので、当該パチンコ遊技機２全体が下面の移動量に応じた角度だけ傾斜し、これに伴い、パチンコ遊技機２の遊技盤も所定角度傾斜する。
【００３６】
ここで、本実施形態においては、操作手段１１の操作部１１ａが、パチンコ遊技機２の前面側に形成（膳板４の形成位置に向かって突出形成）されている。これにより、パチンコ遊技機２の角度調整作業時には、前面側の操作部１１ａを操作することとなり、作業性を向上させることができる。また、本実施形態においては、膳板４の一部により、操作手段１１における操作部１１ａの凹部１１ａａ以外の部位が覆われているので、遊技者による不正な操作を抑制することができる。
【００３７】
また、本実施形態によれば、上記第１の実施形態と同様、パチンコ遊技機２を載置可能とするとともに前後方向に摺動して当該パチンコ遊技機の傾斜角度を任意に調整可能な載置手段７’を具備したので、パチンコ遊技機２の設置作業及び角度調整作業時の作業性を向上させ得るとともに種々形態のパチンコ遊技機２（外枠が木製のもの或いは金属製のもの等）に対応が容易とされ、且つ、パチンコ遊技機２の下面を前後させて傾斜角度を調整し得るので、上面側を前後させるものに比べ、当該パチンコ遊技機２の強固な固定及び精度の高い角度調整を行わせることができる。
【００３８】
更に、本実施形態においては、載置手段７’は、並設された各パチンコ遊技機２に対応してそれぞれ独立して配設された（各々のパチンコ遊技機に対応させて載置手段７’をそれぞれ配設した）ので、何れかの載置手段７’が損傷等した際、その載置手段のみを交換すれば足り、交換時のコストを削減することができる。特に、本実施形態においては、パチンコ遊技機２の複数回の設置により板状部材８が損傷激しいものとなるが、かかる板状部材８のみを交換すれば足りるようになっている。尚、１つの板状部材８にパチンコ遊技機２を複数台（例えば２、３台）載置させ、それらの傾斜角度を一括して調整可能なものとしてもよい。
【００３９】
また更に、載置手段７’は、第１の実施形態と同様、パチンコ遊技機２と共に当該パチンコ遊技機２から排出された遊技球を受け得るアウトボックス６が固定されている。これにより、パチンコ遊技機２の傾斜角度を任意に調整すべく前後方向に摺動させたとしても、当該パチンコ遊技機２とアウトボックス６との相対的位置は変化せず、パチンコ遊技機２からの遊技球をアウトボックス６にて確実に受けさせることができる。尚、各パチンコ遊技機２毎に設置が必要な他の部品も載置手段７’（板状部材８）上に載置させるようにしてもよい。
【００４０】
次に、本発明の第３の実施形態について説明する。
本実施形態に係るパチンコ遊技機の島設備は、図１に示すように、遊技店に複数設置されるとともにパチンコ遊技機２が複数並列して設置された島状のものから成る。かかる島設備１は、第１、２の実施形態と同様、それぞれのパチンコ遊技機２に電力を供給し得るとともに、各パチンコ遊技機２に遊技球を供給し或いは回収する流路（レール等）を具備したものである。尚、第１、２の実施形態と同様の構成要素には、同一の符号を付し、それらの詳細な説明を省略する。
【００４１】
本実施形態に係る載置手段７”は、パチンコ遊技機２を載置可能とするとともに前後方向に摺動して当該パチンコ遊技機２の傾斜角度を任意に調整可能なものであり、図１３に示すように、板状部材８と、操作手段１３とを有して構成されている。操作手段１３は、載置手段７”（板状部材８）の摺動動作を操作するためのもので、図１６に示すように、操作部１３ａと、外周面に雄ネジが形成されたネジ部１３ｂと、ネジ部１３ｂと連結された連結部材１７と、該連結部材１７から延設された一対のリンク部材１５と、該リンク部材１５と連結されつつ板状部材８の上面に固定された作動部１６とを有している。
【００４２】
ネジ部１３ｂは、図１４、１５に示すように、そのネジが島設備１側に固定されたナット１４と噛み合うよう構成されている。即ち、操作部１３ａを回転操作してネジ部１３ｂを回転させると、図１４、１５に示すように、連結部材１７と共に操作手段１３全体を上下方向（ネジ部１３ｂの延設方向）に移動させ得るよう構成されているのである。
【００４３】
而して、連結部材１７が上下動作するのに伴い、リンク部材１５を介して作動部１６及び板状部材８が前後方向（図１３中上方向（膳板４の形成位置に近づく方向）又は下方向（膳板４の形成位置から遠ざかる方向））に摺動し、当該板状部材８に載置されたパチンコ遊技機２の下面が同方向へ移動することとなる。このとき、パチンコ遊技機２の上面側は島設備１に固定されているので、当該パチンコ遊技機２全体が下面の移動量に応じた角度だけ傾斜し、これに伴い、パチンコ遊技機２の遊技盤も所定角度傾斜する。
【００４４】
本実施形態によれば、上記第１、２の実施形態と同様、パチンコ遊技機２を載置可能とするとともに前後方向に摺動して当該パチンコ遊技機の傾斜角度を任意に調整可能な載置手段７”を具備したので、パチンコ遊技機２の設置作業及び角度調整作業時の作業性を向上させ得るとともに種々形態のパチンコ遊技機２（外枠が木製のもの或いは金属製のもの等）に対応が容易とされ、且つ、パチンコ遊技機２の下面を前後させて傾斜角度を調整し得るので、上面側を前後させるものに比べ、当該パチンコ遊技機２の強固な固定及び精度の高い角度調整を行わせることができる。
【００４５】
また、本実施形態においては、載置手段７”は、並設された各パチンコ遊技機２に対応してそれぞれ独立して配設された（各々のパチンコ遊技機に対応させて載置手段７”をそれぞれ配設した）ので、何れかの載置手段７”が損傷等した際、その載置手段のみを交換すれば足り、交換時のコストを削減することができる。特に、本実施形態においては、パチンコ遊技機２の複数回の設置により板状部材８が損傷激しいものとなるが、かかる板状部材８のみを交換すれば足りるようになっている。尚、１つの板状部材８にパチンコ遊技機２を複数台（例えば２、３台）載置させ、それらの傾斜角度を一括して調整可能なものとしてもよい。
【００４６】
更に、載置手段７”は、第１、２の実施形態と同様、パチンコ遊技機２と共に当該パチンコ遊技機２から排出された遊技球を受け得るアウトボックス６が固定されている。これにより、パチンコ遊技機２の傾斜角度を任意に調整すべく前後方向に摺動させたとしても、当該パチンコ遊技機２とアウトボックス６との相対的位置は変化せず、パチンコ遊技機２からの遊技球をアウトボックス６にて確実に受けさせることができる。尚、各パチンコ遊技機２毎に設置が必要な他の部品も載置手段７”（板状部材８）上に載置させるようにしてもよい。
【００４７】
上記第１〜３の実施形態によれば、パチンコ遊技機２を島設備に固設させた後の角度調整が容易とされることから、当該パチンコ遊技機２の設置作業においてあまり熟練を必要とせず、遊技盤を容易に所望角度とすることができるとともに、遊技盤が外枠に取り付けられた状態のパチンコ遊技機２全体の角度調整を行うことができるので、例えば角度調節器を遊技盤に押し当てた状態で角度調整を行うことができ、遊技盤を高精度に所望角度とすることができる。
【００４８】
以上、本実施形態について説明したが、本発明はこれらに限定されず、例えば載置手段にてパチンコ遊技機を載置させるとともに、その載置面を上記とは異なる機構にて前後方向に摺動させることにより、パチンコ遊技機の傾斜角度を任意に調整可能としてもよい。また、本実施形態においては、何れも手動操作にて載置手段（板状部材）を前後方向に摺動させているが、汎用のアクチュエータにて同方向に摺動させ、パチンコ遊技機の傾斜角度を任意に調整可能としてもよい。
【産業上の利用可能性】
【００４９】
パチンコ遊技機を載置可能とするとともに前後方向に摺動して当該パチンコ遊技機の傾斜角度を任意に調整可能な載置手段を具備したパチンコ遊技機の島設備であれば、外観形状が異なるもの或いは他の機能が付加されたもの等にも適用することができる。
【符号の説明】
【００５０】
１  パチンコ遊技機の島設備
２  パチンコ遊技機
３  島上タンク
４  膳板
５  延設板
６  アウトボックス
７、７’、７”  載置手段
８  板状部材
９  操作手段
１０  固定部材
１１  操作手段
１２  固定部材
１３  操作手段
１４  ナット
１５  リンク部材
１６  作動部
１７  連結部材
【図１】
2011125411.tif 000003
【図２】
2011125411.tif 000004
【図３】
2011125411.tif 000005
【図４】
2011125411.tif 000006
【図５】
2011125411.tif 000007
【図６】
2011125411.tif 000008
【図７】
2011125411.tif 000009
【図８】
2011125411.tif 000010
【図９】
2011125411.tif 000011
【図１０】
2011125411.tif 000012
【図１１】
2011125411.tif 000013
【図１２】
2011125411.tif 000014
【図１３】
2011125411.tif 000015
【図１４】
2011125411.tif 000016
【図１５】
2011125411.tif 000017
【図１６】
2011125411.tif 000018